(57)【特許請求の範囲】
【請求項１】
集配荷物を配送する集配輸送手段に積み込むべき集配荷物毎にその荷物の情報を記憶する荷物情報記憶手段と、
集配荷物に付された非接触媒体に対して、この非接触媒体が記憶している荷物に関する情報の読み取りを、非接触媒体との無線通信により行う荷物情報読取手段と、
前記荷物情報記憶手段に記憶されている情報と前記荷物情報読取手段で読み取った情報との一致を確認する確認手段と、
前記集配輸送手段に対する集配荷物の積み込み作業の完了を検出する完了検出手段と、
前記完了検出手段が積み込み作業の完了を検知すると、前記集配輸送手段に積み込むべき集配荷物が全て積み込まれたかどうかを判定する判定手段と、を備え、
前記荷物情報読取手段は、前記集配輸送手段の荷物積み込み口付近に前記非接触媒体との無線通信用のアンテナを設けた集配情報確認装置。
【請求項２】
前記完了検出手段は、前記集配輸送手段に対する集配荷物の積み込み作業の完了を、前記集配輸送手段の荷物積み込み口に設けられたドアが閉められたことの検出により行う請求項１に記載の集配情報確認装置。
【請求項３】
前記完了検出手段は、前記集配輸送手段に対する集配荷物の積み込み作業の完了を、装置本体に設けられた所定のスイッチが操作されたことの検出により行う請求項１に記載の集配情報確認装置。
【請求項４】
前記完了検出手段は、前記集配輸送手段に対する集配荷物の積み込み作業の完了を、前記集配輸送手段のエンジンがスタートされたことの検出により行う請求項１に記載の集配情報確認装置。
【請求項５】
前記判定手段が、前記集配輸送手段に積み込むべき集配荷物が全て積み込まれていないと判定したときに、警報を出力する警報手段を備えた請求項１〜４のいずれかに記載の集配情報確認装置。
【請求項６】
前記警報手段は、前記確認手段により、前記荷物情報記憶手段に記憶されている情報と前記荷物情報読取手段で読み取った情報との一致が確認されなかったときにも警報を出力する請求項５に記載の集配情報確認装置。
【請求項７】
集配荷物毎に、その荷物に関する情報を入力する荷物情報入力手段と、
集配荷物に付された非接触媒体に対して、前記荷物情報入力手段により入力された荷物に関する情報の書き込み、およびこの非接触媒体が記憶している荷物に関する情報の読み取りを、非接触媒体との無線通信により行う荷物情報書込・読取手段と、
前記非接触媒体の表面に記されたバーコードを光学的に読み取るバーコード読取手段と、を備え、
荷物情報書込・読取手段は、前記バーコード読取手段がバーコードを光学的に読み取る読取部の周囲に前記非接触媒体との無線通信用のアンテナを設け、
さらに、前記荷物情報書込・読取手段により、前記非接触媒体に対して前記荷物情報入力手段により入力された荷物に関する情報を書き込むときに、今回書き込む情報が適正であるかどうかを、バーコード読取手段が非接触媒体から読み取ったバーコードの情報を基に確認する確認手段を備えた集配情報確認装置。
【請求項８】
荷物の配送先毎に不在であったときの対処方法を記憶する対処方法記憶手段を備えたことを特徴とする請求項１〜７のいずれかに記載の集配情報確認装置。
【請求項９】
集配荷物を配送する集配輸送手段に積み込むべき集配荷物毎にその荷物の情報を荷物情報記憶手段に記憶させておくとともに、集配荷物に付され、該荷物に関する情報を記憶した非接触媒体との無線通信用のアンテナを前記集配輸送手段の荷物積み込み口付近に設け、
荷物が集配輸送手段に積み込まれたときに、荷物情報読取手段がこの荷物に付されている非接触媒体と無線通信を行い、この非接触媒体が記憶している荷物に関する情報を読み取り、
確認手段が、前記荷物情報記憶手段に記憶している情報と前記読み取った情報との一致を確認し、
完了検出手段が前記集配輸送手段に対する集配荷物の積み込み作業の完了を検出すると、判定手段が前記集配輸送手段に積み込むべき集配荷物が全て積み込まれたかどうかを判定する集配情報確認方法。
【請求項１０】
荷物の配送先毎に不在であったときの対処方法を対処方法記憶手段に記憶させた請求項９に記載の集配情報確認方法。
【発明の詳細な説明】
【０００１】
【発明の属する技術分野】
この発明は、宅配便等におけるトラック等の車両への荷物の積み込み間違いや積み忘れを確認する集配情報確認装置、および集配情報確認方法に関する。
【０００２】
【従来の技術】
宅配便等で集配される荷物には、送り主や配送先の情報（住所、氏名、電話番号等）が記入された配送伝票が貼りつけられており、この配送伝票に記入されている情報に基づいて荷物の配送が行われている。図１０に示す配送伝票４１は、複数枚の紙片が重ねられたもので、一番上の紙片に記入した文字等が複写紙によって重ねられた他の紙片にも複写される。配送伝票４１は、送り主の住所、氏名、電話番号等を記入する送り主情報記入エリア４２と、送り先の住所、氏名、電話番号等を記入する送り先情報記入エリア４３と、荷物の配送先となる基地店を示す着店コードを記入する着店コード記入エリア４４がある。配送伝票４１には、固有の伝票番号が与えられており、この伝票番号が数字４５ａおよびバーコード４５ｂの２通りの方法で印刷されている。
【０００３】
以下、宅配便等の物流システムについて簡単に説明する。集配者がトラック等で一般の家庭やコンビニエンスストア等の取次店に荷物を引き取りに行く。集配者は引き取る荷物毎に、伝票番号や荷物の種類、サイズ、金額、届け先の区域、届け先の電話番号等の荷物情報を所持している携帯端末に入力する。集配者は携帯端末への入力が完了すると、荷物をトラックに積み込み営業所に戻る。なお、さらに他の取次店や一般の家庭に行き、荷物を引き取った後に、営業所に戻る場合もある。
【０００４】
営業所に戻ると、集配者は、営業所のホスト装置に所持している携帯端末を接続し、携帯端末に入力した荷物情報を転送する。ここでホスト装置に入力された荷物情報は、顧客から荷物が届かない等の問い合わせがあったときに該荷物の所在を確認するときの情報となる。営業所では、引き取ってきた荷物を配送伝票４１に記入されている着店コードに基づいて振り分け、配送先の基地店に向かうトラックに積み込む。配送先の基地店では、配送伝票４１に記入されている配送先の住所等を確認し、配送されてきた荷物をさらに細かい地域毎に振り分け、送り先の家庭に配達する。
【０００５】
【発明が解決しようとする課題】
しかしながら、配送伝票４１に記載されている内容を作業者が確認して、荷物をトラック等の配送車両に積み込むため、配送伝票４１に記載されている内容の読み間違い等により荷物の積み間違いが生じたり、急ぐあまりに荷物の積み忘れが生じる等の問題があった。
【０００６】
また、荷物の配達先が不在であると、配送者は該荷物を隣家に預けてよいのか、後日配達すればよいのか等を簡単に判断することができず、荷物の迅速、且つ、効率的な配達の妨げになっていた。
【０００７】
この発明の目的は、荷物を配送する車両等への荷物の積み間違いや荷物の積み忘れを防止することのできる集配情報確認装置、および集配情報確認方法を提供することにある。
【０００８】
また、この発明は、荷物の配達先が不在であれば、配送者に対処方法を知らせる集配情報確認装置、および集配情報確認方法を提供することを目的とする。
【０００９】
【課題を解決するための手段】
この発明の集配情報確認装置は、集配荷物を配送する集配輸送手段に積み込むべき集配荷物毎にその荷物の情報を記憶する荷物情報記憶手段と、
集配荷物に付された非接触媒体に対して、この非接触媒体が記憶している荷物に関する情報の読み取りを、非接触媒体との無線通信により行う荷物情報読取手段と、
前記荷物情報記憶手段に記憶されている情報と前記荷物情報読取手段で読み取った情報との一致を確認する確認手段と、
前記集配輸送手段に対する集配荷物の積み込み作業の完了を検出する完了検出手段と、
前記完了検出手段が積み込み作業の完了を検知すると、前記集配輸送手段に積み込むべき集配荷物が全て積み込まれたかどうかを判定する判定手段と、を備え、
前記荷物情報読取手段は、前記集配輸送手段の荷物積み込み口付近に前記非接触媒体との無線通信用のアンテナを設けたことを特徴とする。
【００１０】
この構成では、荷物情報記憶手段に集配輸送手段に積み込む荷物の情報が記憶されていて、この情報と荷物情報読取手段によって読み取られた積み込まれる荷物に付されている非接触媒体の情報との一致を確認することで、荷物の積み間違いを検出する。しかも、前記集配輸送手段の荷物積み込み口付近に前記非接触媒体との無線通信用のアンテナを設けているので、集配輸送手段に積み込まれた荷物について、確実に荷物に関する情報を読み取ることができる。また、荷物の積み間違いを検出したときに、警報を出力して集配者に荷物の積み間違いがあることを知らせるようにしてもよい。
また、完了検出手段が前記集配輸送手段に対する集配荷物の積み込み作業の完了を検出すると、判定手段が前記集配輸送手段に積み込むべき集配荷物が全て積み込まれたかどうかを判定する。完了検出手段による前記集配輸送手段に対する集配荷物の積み込み作業の完了を検出は、例えば、前記集配輸送手段の荷物積み込み口に設けられたドアが閉められたことの検出、装置本体に設けられた所定のスイッチが操作されたことの検出、前記集配輸送手段のエンジンがスタートされたことの検出により行えばよい。また、判定手段が前記集配輸送手段に積み込むべき集配荷物が全て積み込まれていないと判定した場合に警報を出力して、集配者に荷物の積み忘れがあることを知らせるようにしてもよい。  
これにより、荷物の積み間違いや荷物の積み忘れを確実に防止できる。
【００１１】
また、集配荷物毎に、その荷物に関する情報を入力する荷物情報入力手段と、
集配荷物に付された非接触媒体に対して、前記荷物情報入力手段により入力された荷物に関する情報の書き込み、およびこの非接触媒体が記憶している荷物に関する情報の読み取りを、非接触媒体との無線通信により行う荷物情報書込・読取手段と、
前記非接触媒体の表面に記されたバーコードを光学的に読み取るバーコード読取手段と、を備え、
荷物情報書込・読取手段は、前記バーコード読取手段がバーコードを光学的に読み取る読取部の周囲に前記非接触媒体との無線通信用のアンテナを設け、
さらに、前記荷物情報書込・読取手段により、前記非接触媒体に対して前記荷物情報入力手段により入力された荷物に関する情報を書き込むときに、今回書き込む情報が適正であるかどうかを、バーコード読取手段が非接触媒体から読み取ったバーコードの情報を基に確認する確認手段を備えたことを特徴とする。
【００１４】
この構成では、バーコードからの情報の読取領域と、非接触媒体に対する情報の読取・書込領域とを略一致させることができるので、非接触媒体に対して情報の読み書きを行うときに、同時に非接触媒体上に印刷されているバーコードの情報をも読み出すことができる。そして、確認手段が前記荷物情報書込・読取手段により、前記非接触媒体に対して荷物に関する情報を書き込むときに、今回書き込む情報が適正であるかどうかを、バーコード読取手段が非接触媒体から読み取ったバーコードの情報を基に確認するので、非接触媒体に誤った情報が書き込まれるの防止できる。
【００１５】
この発明では、さらに、荷物の配送先毎に不在であったときの対処方法を記憶する対処方法記憶手段を備えたことを特徴とする。
【００１６】
この構成では、対処方法記憶手段に、荷物の配送先毎に不在であったときの対処方法が記憶されているために、配送者は荷物の配送先が不在であっても適切に対処できる。
【００１７】
【発明の実施の形態】
図１は、この発明の実施の形態である集配情報確認装置を示す図である。荷物の集配を行う集配者は、小型で携帯に便利な携帯端末１を所持している。また、荷物５を配送する車両であるトラック２には、車載端末３と、後述する荷物５に貼りつけられたＩＤタグ（非接触媒体）との無線通信用のアンテナ４が設けられている。アンテナ４は、門型で、且つ、トラック２における荷物５の積み込み口に設けられている（図２参照）。また、携帯端末１と車載端末３とをデータ通信可能に接続することができる。荷物５には、必要事項が記入された配送伝票６が貼りつけられており、この配送伝票６には非接触媒体であるＩＤタグが貼りつけられている。非接触媒体は、内部に記憶領域があり、外部から電磁波等が照射されるとこの記憶領域に記憶している情報を無線信号で出力するというものである。
【００１８】
図３は、配送伝票６を示す図である。配送伝票６は、複数枚の紙片が複写紙を介して重ねられており、一番上の紙片に文字等を記入すると、他の紙片にもこの記入した文字等が複写される。配送伝票６の左側には、非接触媒体であるＩＤタグ１１が貼りつけられている。ＩＤタグ１１の表面にはバーコード１２が印字されている。このバーコード１２の情報は、貼りつけられている配送伝票６の伝票番号である。配送伝票６には、送り先の住所、氏名、電話番号等を記入する送り先情報記入エリア１３と、送り主の住所、氏名、電話番号等を記入する送り主情報記入エリアと１４、荷物５の配送先となる基地店を示す着店コードを記入する着店コード記入エリア１５とがある。着店コードは、荷物５の仕分け時に利用されるコードである。配送伝票６の右上に数字で伝票番号１６を印刷している。なお、図１０に示した従来の配送伝票と異なり、伝票番号を情報として持つバーコードを右下に印刷していない。
【００１９】
図４は、携帯端末１の構成を示すブロック図である。図５（Ａ）は、携帯端末１の外観を示す斜視図であり、図５（Ｂ）はＡ方向から見た携帯端末１の平面図であり、図５（Ｃ）はＢ−Ｂ断面図である。携帯端末１は、ＣＰＵ２１と、ＲＯＭ２２と、ＲＡＭ２３と、入力部２４と、表示部２５と、印字部２６と、ＩＤタグ１１への情報の読取・書込を行うＩＤタグ読取・書込部２７と、バーコードから情報を読み取るバーコードリーダ２８と、外部の装置とデータの送受信を行うインタフェース部２９と、挿入されたＩＣカード３１からデータの読み出し等を行うＩＣカード処理部３０とを備えている。図５（Ｂ）に示すように、携帯端末１は、バーコードリーダ２８の読取部２８ａの周囲にアンテナ２７ａを設け、バーコードリーダ２８の読取領域とＩＤタグ読取・書込部２７の読取・書込領域とを略一致させている。ＩＣカード３１は、運送費を決済するときに必要な情報を記憶している。携帯端末１は、挿入されたＩＣカード３１のＩＣコンタクト接点３１ａに接続接点３０ａを電気的に接続し（図５（Ｃ）参照）、ＩＣカード３１に記憶されている情報を読み出す。
【００２０】
図６は、取次店から荷物５を集荷するときのフローチャートである。集配者は、トラック２で取次店や一般の家庭へ荷物５の集配に行く。荷物５には、送り主および送り先の住所、氏名、電話番号等の必要事項が記入された図３に示す配送伝票６が貼りつけられている。なお、この配送伝票６のＩＤタグ１１には荷物５に関する情報は書き込まれていない。集配者は、荷物５毎に伝票番号、取次店コード（取次店を識別するコード）、荷物情報（商品の種類、サイズ、金額、送り先の区域、送り先の電話番号等）を携帯端末１に入力する（ｎ１〜ｎ３）。ｎ１の伝票番号の入力は、ＩＤタグ１１の表面に印字されているバーコード１２をバーコードリーダ２８で読み取らせてもよいし、入力部２４に設けられたキー操作で行ってもよい。携帯端末１は、上記のデータが入力されると、表示部１５に着店コードを表示するとともに、印字部１６でこの着店コードを印字したラベルを発行する（ｎ４、ｎ５）。集配者は、この発行されたラベルを荷物５に貼りつける。ここで、荷物５に着店コードを印字したラベルを貼りつけるようにしているので、荷物５の振り分け時に着店コードが読みにくい等の問題が生じず、荷物５の振り分けが迅速に行える。
【００２１】
集配者は、着店コードが印字されたラベルの荷物５への貼りつけが完了すると、配送伝票６に貼りつけられているＩＤタグ１１に荷物情報を書き込む。ＩＤタグ１１への荷物情報の書き込みは、アンテナ２７ａをＩＤタグ１１に対向させ、入力部２４に設けられた荷物情報書込開始キーを操作することで行える。このとき、表示部２５にはＩＤタグ１１に書き込む荷物情報が表示されている。集配者は、この表示によってＩＤタグ１１に書き込まれる荷物情報を確認する。携帯端末１は、荷物情報書込開始キーが操作されると（ｎ６）、バーコードリーダ２８でバーコード１２の情報（伝票番号）を読み取る（ｎ７）。上記したように携帯端末１はバーコードリーダ２８の読取領域とＩＤタグ読取・書込部２７の読取・書込領域とが略一致しており、且つ、バーコード１２はＩＤタグ１１の表面に印刷している。したがって、ＩＤタグ１１への情報の書込（またはＩＤタグ１１からの情報の読出）と同時にバーコード１２の情報を読み取ることができる。携帯端末１は、ｎ７で読み取った伝票番号と、書き込む荷物情報に含まれる伝票番号とが一致しているかどうかを判定する（ｎ８）。ｎ８で、伝票番号が一致していれば、荷物情報を書き込み（ｎ９）、ＩＣカード３１から情報を読みだして運送費の決済を行う（ｎ１０）。ｎ８で、伝票番号が一致していなければ、警報を出力して、配送者に確認を促す（ｎ１１）。このように、集配者が誤って別の荷物５の荷物情報をＩＤタグ１１に書き込もうとすると、警報を出力するのでＩＤタグ１１に誤った荷物情報が書き込まれることを未然に防止することができる。
【００２２】
図７は、集荷した荷物５をトラックに積み込む時の車載端末の処理を示す図である。集配者は、上記した処理で携帯端末１に入力した荷物５の荷物情報を車載端末３に入力する。携帯端末１のインターフェース部２９と車載端末３の図示していないインタフェース部とを接続し、所定のキー操作行うことで、携帯端末１から車載端末３に荷物情報を入力することができる。車載端末３は、荷物情報が入力されると、入力された荷物情報を記憶する（ｎ２１、ｎ２４）。
【００２３】
集配者は、車載端末３への荷物情報の入力を完了すると、トラック２の荷台に荷物５を積み込む。荷物５の積み込み口に設けた門型のアンテナ４からは電磁波が放出されている。荷物５に貼りつけられているＩＤタグ１１は、この門型のアンテナ４を通るときに電磁波が照射され、この電磁波が照射されたことで内部の記憶領域に記憶している荷物情報を無線信号で出力する。この無線信号をアンテナ４で受信し、車載端末３に入力する。車載端末３は、荷物情報が入力されると荷物が積み込まれたと判断し（ｎ２２）、入力された荷物情報を記憶しているかどうかを判定する（ｎ２５）。入力された荷物情報を記憶していればｎ２３に進み、記憶していなければ警報を出力する（ｎ２６）。ｎ２３で荷台のドアが閉められたことを検出すると（ｎ２３）、全ての荷物が積み込まれたかどうか（荷物の積み忘れがないかどうか）を判定する（ｎ２７）。ここで、全ての荷物が積み込まれたと判定すると処理を完了し、全ての荷物が積み込まれていないと判定するとｎ２６で警報を出力する。
【００２４】
以上のように、集配者が荷物５の積み込み間違いや、荷物５の積み忘れ、携帯端末１への荷物情報の入力忘れ等が発生すると、ｎ２６で警報を出力して、集配者にミスをしていることをその場で知らせることができる。したがって、荷物５の積み込み間違い、荷物５の積み忘れ、携帯端末１への荷物情報の入力忘れ等を未然に防止することができ、迅速で効率的な配送が行える。
【００２５】
なお、上記実施の形態では、荷台のドアが閉められたときに、積み忘れがないかどうかを判定するとしたが、集配者が車載端末３の所定のスイッチを操作したときや、車両のエンジンをスタートさせたとき等に行うようにしてもよい。また、荷物の集荷時にＩＤタグ１１に荷物情報が記憶されていない場合を例として説明したが、ＩＤタグ１１に荷物情報を記憶していれば、携帯端末１はＩＤタグ１１から荷物情報を読み取り、記憶すればよい。このようにすれば、携帯端末１への荷物情報の入力をより簡単にすることができる。この場合、ＩＤタグ１１から荷物情報を読み取るときに、バーコードリーダ２８でＩＤタグ１１に印刷されているバーコード１２も同時に読み取り、ＩＤタグ１１に記憶されている荷物情報に含まれる伝票番号と、バーコード１２から読み取った伝票番号との一致判定をすることで、ＩＤタグ１１が誤った荷物情報を記憶しているかどうかを判定することができる。
【００２６】
集配者に予備のＩＤタグ１１を持たしておけば、配送伝票６に貼られているＩＤタグ１１が故障したときであっても、予備のＩＤタグ１１に携帯端末１で荷物情報を書き込んで、当該荷物に貼るだけでよいので、迅速にＩＤタグ１１の復旧が行える。
【００２７】
図８は、荷物を配達するときの配送者の手順を示す図である。図９は、不在入力が行われた携帯端末１の処理を示すフローチャートである。携帯端末１のＲＡＭ２３には、不在時に荷物を隣家に預けてもよいのか、持ち帰って再度配達するのか等の対処方法が、荷物の配送地域の各家庭毎に記憶されている。集配者は、荷物５を配達したときに、配達先が不在でなければ所定の紙片に受領印をもらう（ｎ３１、ｎ３２）。この受領印をもらう紙片は、配送伝票６から抜き取った１枚の紙片であり、この紙片にＩＤタグ１１が貼りつけられている。配送者は受領印をもらうと、携帯端末１に配達終了を入力し（ｎ３３）、受領印をもらった紙片を営業所に持ち帰る（ｎ３４）。このように、ＩＤタグ１１を受領印をもらう紙に貼りつけているので、配送者に必ずＩＤタグ１１を営業所に持ち帰らせることができ、このＩＤタグ１１を再利用してもよい。また、ＩＤタグ１１が再利用可能であるかどうか（ＩＤタグ１１が破損していないかどうか）を携帯端末１でチェック可能とすることによって、配送者が配送途中にＩＤタグ１１をチェックすることができる。したがって、営業所で持ち帰ってこられたＩＤタグ１１のチェックを行う必要がなく、ＩＤタグ１１の検査を効率よく行うことができる。
【００２８】
配達先が不在であれば、携帯端末１に配達先の電話番号等の情報とともに不在入力を行う（ｎ３５）。携帯端末１は、不在入力が行われると（ｎ４１）、入力された配達先の電話番号等の情報をキーとしてＲＡＭ２３から不在時の対処方法を検索し（ｎ４２）、この検索した不在時の対処方法を表示部２５に表示する（ｎ４３）。配送者は、表示部２５に表示された内容に基づいて不在対応を行い、不在対応が完了すると携帯端末１に不在対応が完了したことを入力する。携帯端末１は、不在対応完了の入力が行われると（ｎ４４）、印字部２６で不在対応の内容（隣家に荷物を預けた、や、荷物を持ち帰った等）を印字した不在連絡メモを発行する（ｎ４５）。配送者は発行された不在連絡メモを郵便受け等に投函して処理を完了する。
【００２９】
以上のように、携帯端末１に配達先が不在時の対処方法が記憶されているので、配送者の勝手な判断で荷物を隣家に預ける等の処理を行わせることがなく、各家庭に対して適切な処理が行われるようにすることができる。このため、後で顧客から、不在対応の処理が間違っている等のクレームをつけられることが防止できる。
【００３０】
【発明の効果】
以上のように、この発明によれば、荷物情報読取手段が積み込まれた荷物から読み取った荷物情報と、荷物情報記憶手段が予め記憶している積み込むべき荷物の荷物情報との一致をトラック等の集配輸送手段への荷物積み込み時に自動的に確認する。したがって、間違った荷物の積み込みや、荷物の積み忘れを容易に、確実に検出することができる。
【００３１】
しかも、前記集配輸送手段の荷物積み込み口付近に前記非接触媒体との無線通信用のアンテナを設けたので、集配輸送手段に積み込まれた荷物について、確実に荷物に関する情報を読み取ることができる。また、前記集配輸送手段に対する集配荷物の積み込み作業の完了を検出すると、集配輸送手段に積み込むべき集配荷物が全て積み込まれたかどうかを判定する。したがって、荷物の積み間違いや荷物の積み忘れを確実に防止できる。
【００３２】
また、バーコードの情報を読み取る読取領域と、非接触媒体への情報の読み書きを行う領域が略一致しているので、非接触媒体に対する情報の書込や読取時にバーコードの情報を同時に読み取ることができる。そして、確認手段が前記荷物情報書込・読取手段により、前記非接触媒体に対して荷物に関する情報を書き込むときに、今回書き込む情報が適正であるかどうかを、バーコード読取手段が非接触媒体から読み取ったバーコードの情報を基に確認するので、非接触媒体に誤った情報が書き込まれるの防止できる。
【００３３】
さらに、対処方法記憶手段に各家庭毎に不在時の対処方法を記憶させているので、不在の各家庭に対して適切な処理を行うことができる。
【図面の簡単な説明】
【図１】この発明の実施の形態である集配情報確認装置の構成を示す図である。
【図２】同実施の形態の荷物の配送車両であるトラックの外観を示す図である。
【図３】同実施の形態の集配情報確認装置で使用される配送伝票を示す図である。
【図４】同実施の形態の形態端末の構成を示すブロック図である。
【図５】同実施の形態の形態端末の外観を示す図である。
【図６】取次店から配送する荷物を集荷するときのフローチャートである。
【図７】集荷した荷物をトラックに積み込む時の車載端末の処理を示す図である。
【図８】荷物を配達するときの配送者の手順を示す図である。
【図９】不在入力がなされたときの携帯端末の処理を示す図である。
【図１０】従来の配送伝票を示す図である。
【符号の説明】
１−携帯端末
２−トラック
３−車載端末
４−アンテナ
５−荷物
６−配送伝票
１１−ＩＤタグ
１２−バーコード
２７−ＩＤタグ読取・書込部
２７ａ−アンテナ
２８−バーコードリーダ
２８ａ−バーコード読取部
【図１】
0003593780.tif 000002
【図２】
0003593780.tif 000003
【図３】
0003593780.tif 000004
【図４】
0003593780.tif 000005
【図５】
0003593780.tif 000006
【図６】
0003593780.tif 000007
【図７】
0003593780.tif 000008
【図８】
0003593780.tif 000009
【図９】
0003593780.tif 000010
【図１０】
0003593780.tif 000011